(57)【要約】【課題】  取り残しジャム紙片や紙粉によるセンサ汚れ等のため重送防止検知部で誤検知があった場合でも、ユーザが、容易にジャム紙片を目視で確認、除去可能で、重送検知センサを容易に清掃可能な給紙装置を提供すること。【解決手段】  給紙皿に搭載された記録用紙を１枚ずつピックアップして送り出す給紙ローラと搬送ローラと、前記給紙ローラの下流に配置され排出端までの間に前記記録用紙の重送検知センサ含む通紙経路を備える給紙装置において、前記通紙経路を介して対向する受信部と発信部とからなる重送検知センサを有し、当該重送検知センサは前記通紙経路を構成するガイド板対の少なくとも一方に付設されており、前記重送検知センサの付設されたガイド板は前記通紙経路を開閉可能にすることを特徴とする給紙装置。【選択図】        図３
2006036376.tif 000002
【特許請求の範囲】
【請求項１】
給紙皿に搭載された記録用紙を１枚ずつピックアップして送り出す給紙ローラと搬送ローラと、前記給紙ローラの下流に配置され排出端までの間に前記記録用紙の重送検知センサ含む通紙経路を備える給紙装置において、前記通紙経路を介して対向する受信部と発信部とからなる重送検知センサを有し、当該重送検知センサは前記通紙経路を構成するガイド板対の少なくとも一方に付設されており、前記重送検知センサの付設されたガイド板は前記通紙経路を開閉可能にすることを特徴とする給紙装置。
【請求項２】
前記ガイド板は、前記重送検知センサの少なくとも一方を保持し、前記通紙経路解放時には、前記重送センサを前記通紙経路から待避させることを特徴とする請求項１に記載の給紙装置。
【請求項３】
前記発信部の発信面または受信部の受信面は傾斜して取り付けられていることを特徴とする請求項１に記載の給紙装置。
【請求項４】
前記重送検知センサは超音波利用の検知センサであることを特徴とする請求項１に記載の給紙装置。
【請求項５】
前記重送検知センサは透過光利用の光学センサであることを特徴とする請求項１に記載の給紙装置。
【発明の詳細な説明】
【技術分野】
【０００１】
本発明は、複写機、プリンタ、印刷装置等の画像形成装置、もしくはイメージスキャナ等の画像読取り装置を備える自動給紙の給紙装置に係わる。
【背景技術】
【０００２】
記録用紙に画像を形成する画像形成装置においては、２枚以上の記録用紙が重なって搬送される重送現象を全くなくすことは極めて困難であり、重送を少なくする技術とともに、重送が発生した場合の対策が検討されている。
【０００３】
特に、電子写真方式の画像形成装置のような高速画像形成装置においては、重送防止に高度な技術が要求されるとともに、重送がジャムを発生させる確率が高くなるので、重送に対する対策が重要である。
【０００４】
また、重送ジャムの発生の原因として、重送検知部（センサ）に紙粉等の塵が付着して誤検知を招きジャムが発生してしまうケースも頻発している。
【０００５】
当該誤検知を防止する対策として、上向きまたは下向きの縦方向の通紙経路に沿う記録用紙に表面に重送検知手段の検知面が臨むように構成し、記録用紙を送るときの紙粉等は検知面に被さっても滑り落ちるようにする方法（例えば、特許文献１参照）等が提案されている。
【特許文献１】特開２０００−１５９３９３号公報
【発明の開示】
【発明が解決しようとする課題】
【０００６】
しかしながら、上記提案は、通紙枚数が少ないときは縦方向（鉛直方向）搬送にすることで重送検知センサ面に紙粉等の塵付着は少なくなるが、全くなくなるわけではない。しかし、大量通紙時には、重送検知に影響がある量の紙粉付着が発生する可能性がある。また、ジャム発生時に、ジャム紙を取り出す際に記録用紙が破損してその一部が重送検知センサ面に残る可能性もある。
【０００７】
前記特許文献１の技術では、縦方向の通紙経路内に重送検知センサを配置するにあたって、設計上の自由度が大幅に制約され、一度検出面が汚れると通常のユーザが清掃するには困難な通紙箇所になりがちである。
【０００８】
本発明は、取り残しジャム紙片や紙粉によるセンサ汚れ等のため重送防止検知部で誤検知があった場合でも、ユーザが、容易にジャム紙片を目視で確認、除去可能で、検知センサを容易に清掃可能な給紙装置を提供することを目的とする。
【課題を解決するための手段】
【０００９】
給紙皿に搭載された記録用紙を１枚ずつピックアップして送り出す給紙ローラと搬送ローラと、前記給紙ローラの下流に配置され排出端までの間に前記記録用紙の重送検知センサ含む通紙経路を備える給紙装置において、前記通紙経路を介して対向する受信部と発信部とからなる重送検知センサを有し、当該重送検知センサは前記通紙経路を構成するガイド板対の少なくとも一方に付設されており、前記重送検知センサの付設されたガイド板は前記通紙経路を開閉可能にすることを特徴とする給紙装置。
【発明の効果】
【００１０】
通紙経路を構成する開閉可能なガイド板対に重送検知センサを付設することによって、通常の搬送ジャムばかりでなく、ジャム紙片等で誤検知を引き起こした場合でも、ユーザが、容易にジャム紙片を目視で確認、除去でき、また、重送検知センサを容易に清掃でき、速やかに問題への対応ができる。
【発明を実施するための最良の形態】
【００１１】
以下、本発明に係る実施の形態の一例を図面に基づいて説明するが、はじめに、図１を用いて画像形成装置について説明する。
【００１２】
なお、本明細書に用いる用語により本発明の技術範囲が限定されることはない。
【００１３】
図１は本発明の給送装置を有する画像形成装置の全体構成の一例を示す図である。
【００１４】
回転する感光体１の周囲に、帯電手段２、露光手段３、現像手段４、転写手段５、除電手段５Ａ、分離手段６、およびクリーニング手段７を設けたものである。プラテンガラス１２１に載置された原稿Ｄは読み取り装置１２で読み込まれ、その画像信号に対応する電気信号は、露光手段３内のレーザによって光信号に変換され、帯電手段２によって一様に帯電された感光体１の表面に、前記光信号の光照射を行うことによって潜像が形成され、当該潜像はバイアスを印加した現像手段４により反転現像されて感光体１の表面にトナー像となる。
【００１５】
一方、用紙収納手段８から給紙された記録紙（以下、用紙Ｐともいう。）は前記トナー像と同期がとられ、転写位置へと送られ、転写位置において転写手段５により前記トナー像が用紙Ｐ上に転写される。その後に、用紙Ｐは除電手段５Ａにより裏面の電荷が消去され、分離手段６により感光体１から分離され、中間搬送部９により搬送され、引き続き定着装置１０により加熱定着され、排紙皿１１へ排紙される。一方、感光体１の表面は、分離手段６の下流においてクリーニング手段７により表面に残留している現像剤（トナー）が除去され、次の画像形成に備える。
【００１６】
次に、給紙搬送部について説明する。
【００１７】
図１において、８ａ（８ｂ、８ｃ）は給紙トレイで、８１ａ（８１ｂ、８１ｃ）は給紙ローラ、８２ａ（８２ｂ、８２ｃ）は搬送ローラ、８３ａ（８３ｂ、８３ｃ）は記録紙を搬送する搬送手段である給送ローラで、８４ｂ（８４ｃ）は、装置本体側に支持された垂直搬送ローラで、不図示の駆動部からの動力で回転する。８４、８５、８６は搬送ローラ、８７はレジストローラ、９０は通紙搬送路Ｒの一部を有する開閉扉で、９４ｂ（９４ｃ）は図２に示すように当該開閉扉９０に支持されている垂直搬送ローラＢである。
【００１８】
図２は、図１におけるＹＹ矢視断面を示す図である。
【００１９】
Ｓ１ａ（Ｓ１ｂ、Ｓ１ｃ）は前記通紙搬送路Ｒの下流側の検知手段である第１給紙センサ、Ｓ２は通紙搬送路Ｔの一部の箇所の記録紙の有無を検知する検知手段である第２給紙センサである。用紙Ｐは通紙搬送路Ｒ、Ｔ、Ｓ，Ｕに沿って感光体１方向に搬送される。
【００２０】
前記開閉扉９０は、その外側面が装置本体の外径の一部を形成する側壁となっており、内側面は通紙搬送路Ｒの一部で、一方のガイド面９０１を形成し、支持軸９００を支点にしてＶ方向に開閉できる。すなわち、当該ガイド面９０１と装置本体側のガイド面９０２とで開閉扉部分の通紙搬送路Ｒを形成している。また、前記垂直搬送ローラ８４ｂ（８４ｃ）は開閉扉９０と一体に設けられ、開閉扉９０が閉った状態では、前記垂直搬送ローラ８４ｂ（８４ｃ）と前記垂直搬送ローラ９４ｂ（９４ｃ）とは互いに押圧し、記録紙Ｐの挟持搬送を可能とする。
【００２１】
以下、本発明に係わる、重送防止検知センサを伴った開放ガイド機構について説明する。
【００２２】
図３は、図１における点線で囲まれたＦ領域の拡大図である。
【００２３】
図４は、図３におけるＸＸ矢視断面を示す図である。
【００２４】
図３、図４において、６０は開放ガイド機構で、少なくとも１つ以上の紙カセットから送り出された記録紙全てが通過する通紙経路Ｓを構成する開放ガイド板６０１と固定ガイド板６０６とのガイド板対、回動支持軸６０２、重送検知センサである超音波発信素子６０３および不図示の支持部材に支持された超音波受信素子６０５（当該超音波発信と受信素子とは互いに対向している。）、素子支持部材６０４、従動ローラ６０７等より構成されている。なお、前記超音波発信素子６０３および超音波受信素子６０５は不図示の電子回路基板に塔載され、不図示の制御部に接続されている。
【００２５】
前記開放ガイド板６０１は前記超音波発信素子６０３を支持する素子支持部材６０４を載置し、回動支持軸６０２を介して矢印Ｗ方向に所定の角度の範囲で回動でき、前記通紙搬送路Ｓにおける記録紙の搬送ジャム発生時にジャム処理作業実施に支障のない開放部（スペース）を提供できるようになっている。なお、前記超音波発信素子の発信面または超音波受信素子の受信面は傾斜して取り付けられ、紙粉、埃、トナー等が溜まるのを極力防いでいる。
【００２６】
また、開放ガイド板６０１には従動ローラ６０７の両端部の回転軸６０９を長穴ｂで支持し、当該回転軸６０９は図４（ｂ）に示すように押圧バネ６０８が掛けられ、前記従動ローラ６０７を搬送ローラ８５に所定の圧力で押圧している。前記通紙搬送路Ｔからのジャム紙等を前記通紙搬送路Ｓを開放することによって容易に取り除くことができる。また、前記開放ガイド板６０１、固定ガイド板６０６には開口部Ｈが設けられ、前記通紙搬送路Ｓを閉じる状態において当該開口部Ｈを透して超音波発信素子６０３からの超音波が超音波受信素子６０５に受信される。
【００２７】
したがって、通紙搬送路Ｓで通紙ジャムや重送防止センサ等の汚れ等が発生した場合、前記開放ガイド板６０１を超音波発信素子と共に上方に回動させることによって、通紙経路Ｓを開放するので容易にメンテナンスが可能となる。
【００２８】
上記のように、本発明は、通常の搬送ジャムばかりでなく、ジャム紙片等で誤検知を引き起こした場合でも、ユーザが、容易にジャム紙片を目視で確認、除去でき、また、重送検知センサを容易に清掃できるような構成を特徴としている。
【００２９】
本実施の形態では、重送防止検知に超音波発信・受信素子対を使用しているが、発光・受光素子対の光学センサを使用することもできる。
【００３０】
図１に戻って、記録紙の給紙、搬送のプロセスについては、用紙Ｐは給紙ローラ８１ａ（８１ｂ、８１ｃ）で送り出され、捌きローラ８２ａ（８２ｂ、８２ｃ）を経て、第１給紙センサＳ１ａ（Ｓ１ｂ、Ｓ１ｃ）で記録紙先端が検知され、給送ローラ８３ａ（８３ｂ、８３ｃ）で搬送される。さらに、搬送ローラ８４（垂直搬送ローラ８４ｂ、８４ｃ）で搬送され、第２給紙センサＳ２に到達する。
【００３１】
ここで、用紙Ｐの先端が、第１給紙センサＳ１ａ（Ｓ１ｂ、Ｓ１ｃ）から第２給紙センサＳ２まで、所定の基準時間以上かかり、かつ、用紙Ｐの残留が前記第１給紙センサＳ１ａ（Ｓ１ｂ、Ｓ１ｃ）によって検知された場合には、制御部Ｍ（図１参照）からの指令で搬送駆動は停止し、紙詰まり警告が表示部１２２（図１参照）に表示される。これによって、ユーザは開閉扉９０を開け、搬送ローラ８４、給送ローラ８３ａ（８３ｂ、８３ｃ）、に停滞している記録紙を取り除く処理をする。
【００３２】
さらに、記録紙Ｐが通紙搬送路Ｓへ搬送され、重送防止検知部に達し、重送された複数枚の搬送記録紙を検知した場合は、警告が表示部１２２（図１参照）に表示される。これによって、ユーザは、開放ガイド板６０１を開放し、停滞している記録紙を処理することができる。
【００３３】
また、ＬＣＴ（大容量トレイ）１００を本実施の形態の画像形成装置本体に接続した場合でも、記録紙は通紙口Ｅから本体側に搬送され、前記重送防止センサにて同様に検知される。
【図面の簡単な説明】
【００３４】
【図１】本発明の給送装置を有する画像形成装置の全体構成の一例を示す図である。
【図２】図１におけるＹＹ矢視断面を示す図である。
【図３】図１における点線で囲まれたＦ領域の拡大図である。
【図４】図３におけるＸＸ矢視断面を示す図である。
【符号の説明】
【００３５】
１  感光体
４  現像手段
６０  開放ガイド機構
６０１  開閉ガイド板
６０２  回動支持軸
６０３  超音波発信素子
６０５  超音波受信素子
６０６  固定ガイド板
６０７  従動ローラ
８４、８５、８６  搬送ローラ
８７  レジストローラ
【図１】
2006036376.tif 000003
【図２】
2006036376.tif 000004
【図３】
2006036376.tif 000005
【図４】
2006036376.tif 000006